(57)【要約】      （修正有）【課題】設置すべき外部部材の外形に応じて照明装置の形状を撓ませて取着することが可能であり、しかも可搬性に優れ、作業の邪魔にならない設置を可能ならしめるフレキシブル照明装置を提供する。【解決手段】本フレキシブル照明装置１０は、複数のＬＥＤ素子１と、ＬＥＤ素子１を表面に列状に配置した長方形状の板状部材であって、可撓性を有するフレキシブル部材２と、フレキシブル部材２を外部部材に取着ならしめる取着部材４と、ＬＥＤ素子１に電源を供給するバッテリー７と、ＬＥＤ素子１とバッテリー７とを着脱可能に接続するケーブル６とからなり、以上の部材が軽量化され、かつ、フレキシブル部材２と取着部材４とが外部部材の表面形状に応じて撓むことを特徴とする。【選択図】図１
0003156784.tif 000002
【実用新案登録請求の範囲】
【請求項１】
複数のＬＥＤ素子と、
該複数のＬＥＤ素子を表面に列状に配置した長方形状の板状部材であって、可撓性を有するフレキシブル部材と、
該フレキシブル部材の裏面に固定され、前記フレキシブル部材を外部部材に取着ならしめる取着部材と、
前記フレキシブル部材上のＬＥＤ素子に電源を供給する外部電源装置と、
前記ＬＥＤ素子と外部電源装置とを着脱可能に接続するケーブルと、を備え、
以上の部材を軽量化することにより必要に応じて持ち運び自在であって、かつ、
前記フレキシブル部材と取着部材とが、前記外部部材の表面形状に応じて撓むことにより、該外部部材の表面に取着自在であることを特徴とするフレキシブル照明装置。
【請求項２】
取着部材は、取着面が粘着、磁気的な吸着、物理的な吸着又は係合により、外部部材の表面に取着自在であることを特徴とする請求項１記載のフレキシブル照明装置。
【請求項３】
ヘルメットの前頭部に取着したことを特徴とする請求項１または２記載のフレキシブル照明装置。
【請求項４】
請求項１〜請求項３のいずれか１項に記載のフフレキシブル部材を、該フレキシブル部材の長手方向に対して直交する方向へ複数本並列配置することにより、並列配置後の外形形状を略ブラインド形状としたことを特徴とする請求項１または２記載のフレキシブル照明装置。
【考案の詳細な説明】
【技術分野】
【０００１】
本考案は、光源にＬＥＤ素子を用いた照明装置であって、屋内外のどこでも使用可能で、かつ携帯に便利な照明装置に関するものである。
【背景技術】
【０００２】
例えば、工事現場や災害現場等において、夜間工事や復旧作業等を行う場合、その様な環境下で使用される照明装置としては、どこの工事現場へも直ぐに持ち込みが可能な可搬性と、夜間作業が可能な程度の明るさが必要とされる。勿論、工事現場や災害現場においてはその設置場所は、例えば工事中の構築物の資材上、倒壊した構築物や立木等の場所を選ばないことになる。このようにこれらの場所では、様々な使用環境が想定され、照明装置としてはどのような場所においても容易に搬入でき、直ぐに使用が可能であることが望ましい。
【０００３】
そこで、このような用途に使用される従来の可搬式のＬＥＤ素子を用いた照明装置としては、例えば作業用安全ヘルメットにＬＥＤライトを組み込んだ考案が特許文献１により提案されている。この作業用安全ヘルメットは、ヘルメットの前方にＬＥＤ素子が、両側面に太陽電池が、また、後部に太陽電池で発電した電力を充電するための充電式電池が取着されている。
このように全ての部材がヘルメットに取着されているので、ＬＥＤ素子をはじめとする太陽電池、充電式電池等の照明器具を個々に手に持つ必要がなく、かつ、紛失する心配もない。また、照明器具がヘルメットに一体化されているので、可搬性に優れ、作業の邪魔になることもない。
【０００４】
しかし、上記考案は、ＬＥＤ素子をヘルメットのみに装備することを想定しており、ヘルメット以外にＬＥＤ素子を取り付けることは出来ない。たとえ、ＬＥＤ素子を取り外して、外部へ取着するにしても、ヘルメットの取付面が平面になっている（特許文献１の図１参照）ので、この考案の取付対象の表面は平面に近い形状のものに限られる。したがって、照明すべき夜間環境によっては使用することが出来ないものであった。
【先行技術文献】
【特許文献】
【０００５】
【特許文献１】実願２００９−１２９７号公報（段落番号０００４、図１参照）
【考案の概要】
【考案が解決しようとする課題】
【０００６】
そこで、取付面の外部形状に応じて、照明装置の形状を撓ませて変化させ、どのような場所においても設置することができる照明装置があると便利である。
本考案は、そのような要求に応じてなされたもので、設置すべき外部部材の外形に応じて照明装置の形状を撓ませて取着することが可能であり、しかも可搬性に優れ、作業の邪魔にならない設置を可能ならしめるフレキシブル照明装置を提供することを目的とする。
【課題を解決するための手段】
【０００７】
本考案のフレキシブル照明装置は、複数のＬＥＤ素子と、該複数のＬＥＤ素子を表面に列状に配置した長方形状の板状部材であって、可撓性を有するフレキシブル部材と、該フレキシブル部材の裏面に固定され、前記フレキシブル部材を外部部材に取着ならしめる取着部材と、前記フレキシブル部材上のＬＥＤ素子に電源を供給する外部電源装置と、前記ＬＥＤ素子と外部電源装置とを着脱可能に接続するケーブルと、を備え、以上の部材を軽量化することにより必要に応じて持ち運び自在であって、かつ、前記フレキシブル部材と取着部材とが、前記外部部材の表面形状に応じて撓むことにより、該外部部材の表面に取着自在であることを特徴とする。
【０００８】
本考案において、フレキシブル部材とは、表面に列状に複数のＬＥＤ素子を配置可能であって、外部部材の形状に応じて撓ませることが可能な長方形状の板状部材のことをいう。フレキシブル部材の材質は、可撓性を有する樹脂系素材、ゴム系素材、繊維系素材で構成することが出来るが、それらに限られず、可撓性を有する素材であれば、適宜変更可能である。
【０００９】
取着部材とは、フレキシブル部材を外部部材に直接、取着可能とするものであり、外部部材表面との取着面は、粘着、磁気的な吸着、物理的な吸着又は係合により構成させることができる。具体的には、粘着方式であれば、粘着物質等が取着面に塗られ、外部部材にその面を接触させることにより取着可能である。磁気的な吸着方式であれば、外部部材が金属製のものならば、取着面に磁石等の磁気的性質を帯びた物質を固定することで、外部部材に取着可能である。物理的な吸着又は係合方式であれば、吸盤や面ファスナー等の細かい鍵爪を取着面に備えることで、滑らかな気密性の高い表面又は粗い表面を持つ外部部材に吸着又は係合させることが可能である。また、外部部材側にこれらの取着方法と対となって作用するものを備えることも考えられる。
以上、取着方法を外部部材に応じて適宜用いることで、あらゆる材質の外部部材に取着できるのである。
【００１０】
外部電源装置は、フレキシブル部材に一体化せず、独立して携帯することが出来るものである。また、バッテリーや充電式電池等、ＬＥＤ素子が必要とする電力を作業時間に必要な時間、例えば２時間程度供給でき、尚且つ軽量で携帯式のものを用いる。
【考案の効果】
【００１１】
本考案のフレキシブル照明装置によれば、可搬性に優れ、作業の邪魔にならないように設置が可能で、しかも、外部形状に応じて照明装置の取着がどこでも可能なため、様々な使用環境に適応できるという効果を奏する。
【図面の簡単な説明】
【００１２】
【図１】図１（ａ）は、本考案のフレキシブル照明装置の概略平面図、図１（ｂ）は、図１（ａ）の照明装置の左端部における下面図である。
【図２】ヘルメット前頭部に本考案のフレキシブル照明装置を取着した例の斜視図である。
【図３】本考案のフレキシブル照明装置を取着した他例の模式図である。このうち図３（ａ）は、図１のフレキシブル照明装置を複数並列配置してブラインド形状とした平面図、図３（ｂ）は、前記ブラインド形状としたフレキシブル照明装置を壁等に立て掛けた模式側面図、図３（ｃ）は、外部部材が円若しくは球体である場合に、ブラインド形状とした本考案のフレキシブル照明装置を覆いかぶせた模式側面図、図３（ｄ）は、外部部材が角部を有する壁面である場合に、ブラインド形状としたフレキシブル照明装置を覆いかぶせた模式側面図である。
【考案を実施するための形態】
【００１３】
以下に、本考案の実施の形態について、図面を用いて説明する。
【実施形態１】
【００１４】
図１は、本考案のフレキシブル照明装置１０の平面図である。本考案のフレキシブル照明装置１０は、大別すると複数のＬＥＤ素子１と、フレキシブル部材２と、取着部材４と、ケーブル６と、バッテリー７より構成されている。
【００１５】
ＬＥＤ素子１は、駆動電圧がＤＣ１２Ｖで点灯する白色光のもので、図１に示すように、フレキシブル部材２の上に一列状に互いに一定間隔で合計１２個が配置されている。勿論、全て並列にまたは、２個ずつ６列に、或はそれ以上の複数列に配列しても良い。すなわち、フレキシブル部材２の長手方向のみに配置することに限られず、短手方向に配置してもよい。これらＬＥＤ素子１は、図示は省略したが点灯するための制御回路もフレキシブル部材２の上に設けられている。
フレキシブル部材２は、複数のＬＥＤ素子を表面に列状に配置した長方形状の板状部材であって、可撓性を有する。例えば、合成樹脂板、ゴム板、繊維等の素材或はこれらの素材を適宜組み合わせて得られるテープ、バンド状のものである。
なお、両端部の符号３は、端子部である。
【００１６】
取着部材４は、接着、縫製等の適当な手段でフレキシブル部材２の裏面に固定されており、表面に複数のＬＥＤ素子１が取り付けられたフレキシブル部材２を相手部材（不図示）に取り付けるためのものである。本実施例では取着部材４として面ファスナーを用いている。
取着部材４は、フレキシブル部材２の撓みに応じて同時に撓むため、外部部材の表面形状に応じてフレキシブル部材２を容易に固定することができる。
【００１７】
ＬＥＤ素子１は、バッテリー７と着脱可能なケーブル６により電気的に接続できるようになっている。すなわち、フレキシブル部材２の右端には、電源を供給する本体側コネクタ５が設けられ、ケーブル６は、フレキシブル部材側コネクタ６ａと、バッテリー側コネクタ６ｂと、両コネクタを接続するケーブル６とから成る。
バッテリー７は、本考案の目的を達するには軽量で携帯に便利な小型のものが求められる。本実施例ではバッテリー７は、形式がリチウムポリマー二次電池であり、３．６Ｖの公称電圧である。本実施例では、これにＤＣ／ＤＣコンバータを構成し、３．６Ｖから１２Ｖに昇圧しＬＥＤ素子１へ電力を供給している。ここで、１２Ｖにするメリットとしては、自動車バッテリーとの互換性をもたす事が可能となる。さらに、ＬＥＤ素子１の直列接続で点灯させると、駆動電流も同一にできるので輝度のばらつきも少なくできる。一方で、ＬＥＤ素子１の直列接続はその一つが寿命などで劣化すると、他のＬＥＤ素子１も暗くなってしまう等の問題を生ずるが、保護用ダイオードを内蔵したＬＥＤ素子１で構成することで解決可能である。連続点灯時間は、夜間作業時間を２時間と想定し、満充電より２．５時間程度の点灯が可能である。
そして、充電開始後４時間を経過しても充電が終了しない場合叉は満充電から電池の放電時間が３０分以内の場合をバッテリー寿命とし、電池の使用可能回数（サイクルユース）は約５００回に設定されている。ところで、重量面では不利になるがＮｉ−Ｈ電池３直列で同様の構成をしてもよい。
【００１８】
以上の構成から成る本考案のフレキシブル照明装置１０を使用するには、ケーブル６のフレキシブル部材側コネクタ６ａをコネクタ５に、バッテリー側コネクタ６ｂをバッテリー７のコネクタ７ａに差し込み、バッテリー７のスイッチ７ｂをオンにすることで点灯できる。一方、消灯するときはスイッチ７ｂを充電側（不図示）にする。そして、バッテリー７を充電するときは本体側コネクタ５を外し、専用充電アダプタ（不図示）を接続する。
以上より、本考案のフレキシブル照明装置１０は、フレキシブル部材２と取着部材４とが、外部部材（不図示）の表面形状に応じて撓むので、どこでも取り付けが可能となる。さらに、各部品は個々に分離することができるので、携帯及び可搬性に優れ、作業の邪魔にならない設置が可能であり、様々な使用環境に適用することができる。
【実施形態２】
【００１９】
図２は、本考案の使用方法の一例として、ヘルメット５０の前頭部に本考案のフレキシブル照明装置１０を装着した斜視図である。
【００２０】
図示のように、フレキシブル部材２は、ヘルメット５０の前頭部の湾曲平面に沿うように撓んでおり、フレキシブル部材２の裏面に固定されている取着部材４も、それに応じて撓んでいる。また、バッテリー７（不図示）と、ケーブル６によりＬＥＤ素子１に電源を連続供給することができる。なお、符号８は、耳掛け金具である。
【００２１】
このように、フレキシブル部材２と取着部材４とが、ヘルメット５０の前頭部の表面形状に応じて撓んで取着が可能となる。さらに、ヘルメット５０の前頭部に取着することにより、作業の邪魔になることはないし、作業範囲の視界を常に照らすことができ、大変使い勝手が良い。
【実施形態３】
【００２２】
図３は、本考案のフレキシブル照明装置１０の別の使用例である。
このうち、図３（ａ）は、前述したフレキシブル照明装置１０を複数並列配置して外形形状を略ブラインド形状にした平面図である。
この場合、バッテリー７からケーブル６を経て、各フレキシブル部材２のＬＥＤ素子１に電源を供給するが、その接続方法は、図のようにバッテリー７を個々に並べて行なうのではなく、１個のバッテリー７により電源を複数のフレキシブル部材２に並列供給してもよい。勿論、この場合のバッテリー７は、使用するＬＥＤ素子１の総消費電力に相当する容量を持つものを用いる。
【００２３】
この態様のフレキシブル照明装置１０、１０・・・によれば、照明面積を作業環境或は外部部材に対応して広くすることができ、作業現場において著しく明るい作業環境を作ることができる。このように、フレキシブル部材２は、必要な作業環境及び必要照明面積に合わせて、その数量の増減が容易である。
【００２４】
また、全体形状が略ブラインド形状で、しかもフレキシブル部材２自体が前述したように可撓性を有するので、外部部材の形状に順応した照明装置が容易に得られる。
すなわち、外部部材が図３（ｂ）のような壁等を有する外部部材５１である場合、図３（ｃ）のような円形若しくは球体の外部部材５２である場合、図３（ｄ）のような角部を有する外部部材５３である場合においても対応が可能であり、これ以外にも様々な外部部材の形状に対応できる。
【００２５】
以上により、外形形状を略ブラインド形状としたフレキシブル部材２は、必要な照明面積に合わせて、フレキシブル部材２の数量の増減が可能である。また、それ自体の形状により外部部材へ取り付け可能であるので、様々な使用環境に適応可能である。
【００２６】
なお、本考案のフレキシブル照明装置は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【産業上の利用可能性】
【００２７】
本考案のフレキシブル照明装置は、可搬性に優れ、作業の邪魔にならないようにどこにでも設置が可能である。しかも、取り付け先の外部形状に応じて照明装置の取着が可能であるので、前述した工事および災害現場以外の様々な夜間環境に使用可能である。
【符号の説明】
【００２８】
１    ＬＥＤ素子
２    フレキシブル部材
３    端子
４    取着部材
５    コネクタ
６    ケーブル
７    バッテリー
８    耳掛け金具
１０    フレキシブル照明装置（本考案）
５０    ヘルメット
５１〜５３    外部部材
【図１】
0003156784.tif 000003
【図２】
0003156784.tif 000004
【図３】
0003156784.tif 000005
【手続補正書】
【提出日】平成21年11月10日(2009.11.10)
【手続補正１】
【補正対象書類名】実用新案登録請求の範囲
【補正対象項目名】全文
【補正方法】変更
【補正の内容】
【実用新案登録請求の範囲】
【請求項１】
複数のＬＥＤ素子と、
該複数のＬＥＤ素子を表面に列状に配置した長方形状の板状部材であって、可撓性を有するフレキシブル部材と、
該フレキシブル部材の裏面に固定され、前記フレキシブル部材を外部部材に取着ならしめる取着部材と、
前記フレキシブル部材上のＬＥＤ素子に電源を供給する外部電源装置と、
前記ＬＥＤ素子と外部電源装置とを着脱可能に接続するケーブルと、を備え、
以上の部材を軽量化することにより必要に応じて持ち運び自在であって、かつ、
前記フレキシブル部材と取着部材とが、前記外部部材の表面形状に応じて撓むことにより、該外部部材の表面に取着自在であることを特徴とするフレキシブル照明装置。
【請求項２】
請求項１に記載のフレキシブル照明装置を、前記フレキシブル部材の長手方向に対して直交する方向へ複数本並列配置することにより、並列配置後の外形形状を略ブラインド形状としたことを特徴とするフレキシブル照明装置。
【請求項３】
取着部材は、取着面が粘着、磁気的な吸着、物理的な吸着又は係合により、外部部材の表面に取着自在であることを特徴とする請求項１又は２記載のフレキシブル照明装置。
【請求項４】
ヘルメットの前頭部に取着したことを特徴とする請求項１ないし３のいずれか１項に記載のフレキシブル照明装置。